(57)【特許請求の範囲】
【請求項１】
腕部を有する上方トランク部、および脚部を有する下方トランク部を有し、
上方トランク部がウエットスーツへの出入りを可能にする内襟口を部分的に郭定するバックパネルを含み、内襟口が充分に低くカットされかつ上方トランク部の背側に充分幅広く形成され、内襟口が使用者の首の根又はその下方にあり、
上方トランク部がバックパネルの上縁の下方の位置で背側に取付けられた閉パネルを含み、閉パネルが使用者の首にぴったりする外襟口付きカラーを形成し閉パネルが外襟口からバックパネルの上縁の下の位置へと下向きに延在する閉自在なカットアウト部を含み、閉自在なカットアウト部が閉パネルに内襟口より広い幅である開位置および使用者の首まわりに閉パネルを密着させる閉位置を与え、
バックパネルが比較的伸びのある材料からなり、内襟口がウエットスーツへの出入りを可能にするに適した量拡がり、バックパネルは折りたたむことなく着用者にぴったりフィットし、さらに、閉パネルの襟位置が内襟口の拡がりと干渉しないように充分に広いことを特徴とするウエットスーツ。
【請求項２】
閉自在なカットアウト部が上方トランク部の少くとも中間点へと下向きに延在する請求項１記載のウエットスーツ。
【請求項３】
閉自在なカットアウト部が上方トランク部へと下向きに延在する請求項１記載のウエットスーツ。
【請求項４】
フロントパネルとバックパネルが使用者の上体の体形に密着する請求項１記載のウエットスーツ。
【請求項５】
バックパネルの上縁が使用者の背の上部に沿いかつ使用者の肩の上に延在するよう形成されている請求項１記載のウエットスーツ。
【請求項６】
閉自在なカットアウト部がその下部に部分的延在するジッパーおよびカットアウト部の上部に沿って延在するホックとファスナーとにより閉じられる請求項１記載のウエットスーツ。
【請求項７】
ジッパーがバックパネルの上縁の下方の点迄延在する請求項６記載のウエットスーツ。
【発明の詳細な説明】
【０００１】
【発明の属する技術分野】
本発明はウエットスーツに関し、特に詳述すれば、ウエットスーツへの出入りを容易にする改良された襟口を有するウエットスーツに関する。
【０００２】
【従来の技術】
特開平１１−１６５６９１号公報は首部から出入りするウエットスーツを開示し、実開平７−６０９７号公報を引用する。この発明は、三角布挿入片により形成された伸び自在なカラー付き首から出入りのウエットスーツを開示し、三角布挿入片が包み込まれていない時カラーと首部の双方を拡げることを可能にする。特開平１１−１６５６９１号公報はトランクの上部に制限された浅いカットアウト部付きの首から出入りする設計を開示する。カットアウト部はウエットスーツの着用感を改良させるためにジッパーよりむしろベルクロタイプファスナーにより閉じられる。この設計は首まわりの水もれを最小にする快適なウエットスーツを提供するが、これはＶ形のカットアウト部の頂部の補強を必要とする。この設計は応力集中を減少させかつ首開口を介しての出入りを改良させる。前述特開公報はジッパーなしのウエットスーツを開示し、首部から入る設計は本発明のジッパー付き首部からの出入りの設計に関連する。
【０００３】
【発明の開示】
簡単に言えば、本発明のウエットスーツはウエットスーツへの出入りのための内襟口を含み、これは充分低くカットされかつ充分広く形成され、襟口が使用者の首の根又はその下に位置する。上方トランク部は、ウエットスーツのバックパネルの上縁の下方の位置で背側に取付けられる閉パネルを有す。閉パネルが使用者の首に密着する外襟口付きのカラーを形成する。閉パネルが、外襟口からバックパネルの上縁の下の点へと下向きに延在する閉自在なカットアウト部を含む。その開位置において、閉パネルが、内襟口より広く、その閉位置で、使用者の首まわりにぴったりと合う。バックパネルが比較的伸びのある材料で作られ、内襟口が、該内襟口を介してのウエットスーツの出入りを可能にするに充分な量拡げ得る。閉パネルの開位置は内襟口の拡大と干渉しないよう充分幅広くなっている。
【０００４】
好ましくは、閉自在カットアウト部は下方トランク部に下向きに延在する。本発明の概念によれば、閉自在なカットアウト部はカットアウト部の下部に沿い部分的に延在するジッパーおよびカットアウト部の上部に沿って延在するホックとファスナーとにより閉じられる。好ましくは、ジッパーはバックパネルの上縁の下方の位置まで延在する。
【０００５】
本発明の他の概念によれば、バックパネルの上縁は使用者の背の上部に沿いかつ肩部上に延在するよう形成される。
【０００６】
本発明のこれらおよび他の特徴、目的、利点は、添付図面と請求項と関連して、本発明を実施するための最良の形態の次の記載を読んだとき明らかとなろう。その添付図面と請求項は本発明の記載の一部として全て本願に含まれる。
【０００７】
【発明の実施の形態】
添付図面に示した本発明の実施例を参照して本発明を説明する。本発明が好ましい実施例と関連して述べられるが、本発明をこれら実施例に限定させる主旨でないことを理解すべきである。請求項の記載により特定される発明の範囲内に包含される代替例、変形例や均等例を本発明は含み得る。
【０００８】
図１と図２は、本発明の一例の改良された首部から入るウエットスーツ１０の前面と背面を示すが、一部細い点は省略されている。ウエットスーツ１０は、下方トランク部１２、上方トランク部１４、首部１６、腕部１８、脚部２０を含む。ウエットスーツ１０の前側は、上縁２４を有するフロントパネル２２を有し、後側は上縁部２８を有するバックパネル２６を有す。対の肩（ショルダー）パネル３１、３３は首部１６を構成しかつ共通の上縁２４を含む。
【０００９】
フロントパネルの上縁２４はバックパネルの上縁部２８より背が高い。実際、バックパネルの上縁部２８は充分低くカットされかつ幅広に形成され、それは使用者の首のつけ根又はその下方に着用される。図２に示すように、上縁部２８は肩パネル３１、３３方向へと横方向に延在する。上縁部２８はウエットスーツの内方襟口の一部を形成し、ウエットスーツへの出入りを可能にするに充分な伸張をウエットスーツに与える。
【００１０】
本発明の主旨はウエットスーツの首まわりに存し、ウエットスーツ１０の残りの構成の特別なデザインは図１と同のものと変え得る。一般に、トランク部１２，１４、首部１６、腕と脚部１８，２０を作る構成要素は、公知のネオプレン、或いは他の伸張自在にして弾性を有する繊維材料から作られる。適切な材料として、日本のヤマモト社製の＃３９スーパストレッチＳＬ，７５００−１０ジャシイ／メッシュネオプレン、日本のヘイワ社のウルトラストレッチネオプレンとフリストネオプレン、ヤマモト社からのベルクロプラッシュネオプレン、台湾のシエイコ社のネオプレン２ＤＬが例示できる。しかし、好ましくは、フロントパネル２２とバックパネル２６を最もよい伸張材料で作り、使用者の肩ごしにウエットスーツを通すよう内首部の充分な伸びを可能にさせる。
【００１１】
図３と図４を参照する。ウエットスーツ１０の後側は対の首部を閉じるジッパーパネル３６，３８を有し、ジッパーパネル３６，３８肩パネル３１，３３の後縁に縫い合せ（スティッチ）することで取付けられ、その上縁４０は、フロントパネル上縁２４と同一面となる。ジッパーパネル３６，３８はバックパネル２６に縁２４に沿い縫い合せることで取付けられ、ここでパネル３６，３８はバックパネル２６に重ねられる。ジッパーパネル３６，３８はウエットスーツの下方トランク部１２内の４４の位置で互いに一体に結合される。ジッパーパネル３６，３８は内縁４６を有し、この内縁４６にジッパー４８を縫いつける。ジッパー４８は位置５０で終り、位置５０はバックパネルの上縁２８の下方、図示の如く充分下方に設けられる。
【００１２】
図５と図６を参照する。ウエットスーツ１０の右側は外側の首閉じループパネル５４を含み、このループパネル５４が上縁４０に沿い肩パネル３１とジッパーパネル３８に縫い付けられる。ループパネル５４はジッパー４８の上端の点５０へ下向きに延在しかつ後述する外襟口を構成する上縁５６を含む。閉ループパネル５４は、その外面で、ジッパー４８から外襟口までシールを作るよう用いられるベルクロ（Velcro）タイプループを有す。閉ループパネル５４は、後述する如く、部分的にバックパネル２６に重なり、バックパネルを伸ばすに充分な室を提供するようバックパネル２６から位置変えできる。
【００１３】
図７と図８を参照する。ウエットスーツ１０の首部はさらに外首部閉カラーパネル６０を含む。閉カラーパネル６０は全首部まわりに延在し、外首部、開口６６を形成する。閉カラーパネル６０は閉ループパネルの前縁６２、フロントパネル２２の上縁２４、およびジッパーパネル３６の上縁４０に縫い付けられる。カラーパネル６０は上縁６４を有し、閉ループパネルの上縁とともに、上縁６４が外襟口６６を郭定する。カラーパネル６０は上掛け部６８を含み、その下側部にベルクロタイプホック（hook）パネル７０を取付ける。ホックパネル７０がウエットスーツの上部をシールするよう閉ループパネルと係合する。上掛け部６８は閉ループパネルに重なりかつ襟口６６から上の点５０にかけてのシールを作る。
【００１４】
後述する如く、カラーパネル６０と閉ループパネルの上掛け部とジッパー４８は、閉ループパネルからカラーパネル６０を分離しかつジッパーパネル３６，３８の分離を可能にする“カットアウト部”となり、それらは襟口への接近を可能にする迄拡げさせられる。
【００１５】
図９と図１０を参照する。ウエットスーツ１０は、又、タブ閉体７６を有し、このタブ閉体７６がカラーパネル６０と閉ループパネル５４との間に縫い付けられかつその内側にループパネルを有す。カラーパネル６０は小さなホック片７８を有し、このホック片７８がカラーパネル６０の外端にホックの面を外に向かせて取付けられる。
【００１６】
図９において、カラーパネル６０は、閉ループパネル５４から分離された開位置として示され、ジッパー４８はジッパーパネル３６，３８を分離した非係合状態で示す。この位置で、矢印６６によって示される外襟口は、上縁６４の前側、上縁４０、ジッパー４８の下の位置４４により郭定される。内襟口は矢印８２によって示されかつ上縁６４の前側とバックパネル２６の上縁２８により郭定される。ジッパー４８が外されかつカラーパネル６０が閉ループパネル５４から分離した状態で、外襟口６６が実質的に拡げられ、内襟口８２がウエットスーツへの出入りを可能にさせるに充分な量だけ拡げられる。言い換えれば、カラーパネルとジッパーとの開位置は充分に広く、内襟口の拡大と干渉しない。
【００１７】
カラーパネル６０とジッパー４８の開位置は、カラーパネル６０の上縁６４からバックパネル２６の上縁２８の下方の点、好ましくは外襟口の充分な開きを提供する点へと下向きに延在するカットアウト部として示され、内襟口の拡大のための室を提供する。
【００１８】
図１０と図１１を参照する。カラーパネル６０は閉じられかつジッパー４８は締められている。タブ閉体７６は、図１１に示される如く、カラーパネル６０の外端に重なる形で位置する。この閉位置で、カラーパネル６０は使用者の首に密着し、外襟口を介しての水の浸入を最小限とさせる。バックパネル２６は使用者の背の上部を覆いかつ肩部の下の使用者の背をシールする。仮りに、水がジッパーを介して或いはカラーパネル６０と閉ループパネル５４との間ベルクロタイプファスナーの間を介してウエットスーツ内にもれても、バックパネル２６が使用者の体に水を触れさせない。
【００１９】
カラーパネル６０の結合部でのジッパー４８とベルクロタイプファスナーおよび閉ループパネル５４とが、外襟口から、バックパネルの上縁の少くとも下方の位置、好ましくは上方トランク部の中間点又は下方トランク部へと下向きに延在するカットアウト部を作る。
【００２０】
請求項において、閉パネルはカラーパネル６０のようなパネルを意味するよう用いられ、カラーパネル６０が、外襟口の一部を構成し、かつバックパネルの上縁の下方の点でバックパネルに固定される。その結果、開位置にて内襟口に容易に近接できる。狭義にて、ジッパーパネル３６，３８が閉パネルの一部を形成し、しかし、ジッパーパネルが充分に広い幅の外襟口を作るために下方に必ずしも延在する必要はない。
【００２１】
本発明の特別な実施例の前述の記載は図示と説明のためのものであって、記載の形状に本発明を限定するものでなく、他の多くの変形が前記教示に従って可能である。実施例は本発明の原理と実用性を説明するために選択され記述されており、当業者が本発明とその変形例の利用を可能にさせている。本発明の範囲は請求項により郭定され、請求項は均等論や逆均等論の原則を法的に受入れるよう解されるものである。
【図面の簡単な説明】
【図１】  改良した首閉パネルを備える本発明のウエットスーツの前面の斜視図である。
【図２】  図１のウエットスーツの背面を示す斜視図である。
【図３】  ジッパーパネル付きの図１のウエットスーツの前面と背面の斜視図である。
【図４】  ジッパーパネル付きの図１のウエットスーツの前面と背面の斜視図である。
【図５】  首閉ループパネル付きの図１のウエットスーツの前面と背面の斜視図である。
【図６】  首閉ループパネル付きの図１のウエットスーツの前面と背面の斜視図である。
【図７】  首閉カラーパネル付きの図１のウエットスーツの前面と背面の斜視図である。
【図８】  首閉カラーパネル付きの図１のウエットスーツの前面と背面の斜視図である。
【図９】  カラーパネルとジッパーパネルを開とした図１のウエットスーツの斜視図である。
【図１０】  ジッパーとカラーパネルを閉とした図９のウエットスーツの斜視図である。
【図１１】  ジッパーとカラーパネルを閉としたウエットスーツの前面の斜視図である。
【符号の説明】
１０  ウエットスーツ
１２，１４  トランク部
１６  首部
１８，２０  脚部
２２  フロントパネル
２４，２８，４０，５６  上縁
２６  バックパネル
３１，３３  肩パネル
３６，３８  ジッパーパネル
４８  ジッパー
５４  ループパネル
６０  カラーパネル
６６  開口（外襟口）
７０  ホックパネル
７６  タブ閉体
【図１】
0003692297.tif 000002
【図２】
0003692297.tif 000003
【図３】
0003692297.tif 000004
【図４】
0003692297.tif 000005
【図５】
0003692297.tif 000006
【図６】
0003692297.tif 000007
【図７】
0003692297.tif 000008
【図８】
0003692297.tif 000009
【図９】
0003692297.tif 000010
【図１０】
0003692297.tif 000011
【図１１】
0003692297.tif 000012